(57)【特許請求の範囲】
【請求項１】
軒先部に配置される軒樋の取付構造であって、鼻板に軒樋本体支持具を取り付けると共に該軒樋本体支持具に軒樋本体を取り付け、鼻板の前記軒樋本体支持具を取り付けた部位の下方にカバー支持具を取り付けると共に、該カバー支持具に前記軒樋本体の外面と鼻板の下端部とに両端部がそれぞれほぼ連続するカバー部材を取り付けるものにおいて、軒樋本体の外面下端部に軒樋側端部が位置すると共に鼻板の下端部に鼻板側端部が位置し、軒樋側端部と鼻板側端部との間に鼻板側端部から軒樋側端部へ向かう方向にいく程上方に位置する傾斜面部を形成して成ることを特徴とする軒樋の取付構造。
【発明の詳細な説明】
【０００１】
【発明の属する技術分野】
本発明は、屋根材が載置される野地板とこの野地板の軒先部の近傍に下方より鼻板を接続した屋根部に配置する軒樋の取付構造に関するものである。
【０００２】
【従来の技術】
従来より、建物の軒先部には軒樋が配置されるものである。まず、建物の軒先部について説明すると、軒先部は図１３に示すように、瓦等の屋根材が載置固定される野地板と、野地板の軒先部側端部の近傍に下方より接続される鼻板と、鼻板の下端部に外側端部が接続される軒天井とで主体が構成される。そして、屋根材又は野地板の軒先部側端部の下方に軒樋が配置される。軒樋は、鼻板の上端部付近に軒樋本体支持具を取り付けると共にこの軒樋本体支持具に軒樋本体を取り付けて構成される。
【０００３】
このように鼻板に軒樋が取り付けられて形成された軒先部は、下方より見上げると、軒樋と鼻板とが明確に別々に見えて軒先部に一体感がなく、見栄えが悪いという問題があった。
【０００４】
【発明が解決しようとする課題】
本発明は上記の点に鑑みてなされたものであり、その目的とするところは、軒樋と鼻板とが一体感を有して見栄えの良い軒樋の取付構造を提供することを課題とするものである。
【０００５】
【課題を解決するための手段】
上記課題を解決するために本発明に係る軒樋の取付構造は、軒先部に配置される軒樋の取付構造であって、鼻板５２に軒樋本体支持具１を取り付けると共に該軒樋本体支持具１に軒樋本体２を取り付け、鼻板５２の前記軒樋本体支持具１を取り付けた部位の下方にカバー支持具３を取り付けると共に、該カバー支持具３に前記軒樋本体２の外面と鼻板５２の下端部とに両端部がそれぞれほぼ連続するカバー部材４を取り付けるものにおいて、軒樋本体２の外面下端部に軒樋側端部が位置すると共に鼻板５２の下端部に鼻板５２側端部が位置し、軒樋側端部と鼻板５２側端部との間に鼻板５２側端部から軒樋側端部へ向かう方向にいく程上方に位置する傾斜面部を形成することを特徴とするものである。このような構成とすることで、軒樋本体２とカバー部材４とを一体的に形成することができると共に、カバー部材４と鼻板５２とを一体的に形成することができて、下方より見上げる者に軒樋と鼻板５２とこれらの間に介在して見えるカバー部材４の全てを一体的に見せることができて、簡単な構成で見る者に強い一体感を与えて見栄えの良い軒樋とすることができる。
【０００７】
【発明の実施の形態】
以下、本発明の一実施形態について、添付図面に基づいて説明する。
【０００８】
まず、建物の軒先部について説明する。建物は、二階建てのように多層階からなるもので、その屋根部の外側端部に軒先部が形成される。軒先部は、図１に示すように、瓦等の屋根材５４が載置固定される野地板５１と、野地板５１の軒先部側端部の近傍に下方より接続される鼻板５２と、鼻板５２の下端部に外側端部が接続される軒天井５３とで主体が構成される。また、屋根材５４又は野地板５１の軒先部側端部の下方には、屋根材５４を流下して屋根材５４又は野地板５１の軒先部側端部より落下する雨水を受ける軒樋が配置される。
【０００９】
軒樋は、軒樋本体２とこの軒樋本体２を軒先部に配設するための軒樋本体支持具１とからなる。
【００１０】
軒樋本体２は、図４に示すように、両側の側片である外側片２１及び内側片２２と底片２３とからなる断面が上方に開口した略コ字状のものである。外側片２１は本実施形態では、上縦片２４と、上縦片２４の下端部より内側に連設される中横片２５と、中横片２５の内側端部より内側斜め下方に連設される下傾斜片２６とからなるもので、上縦片２４の上端部は内側に折り曲げられると共にその更に先端側で下方に折り曲げられ、先端（即ち下端）には外側（即ち上縦片２４本体側）に向けて耳部２７ａが突設される。また、内側片２２の上端にも外側に向けて耳部２７ｂが突設される。これら耳部２７ａ，２７ｂは、断面略ロ字状をしたもので、後述する軒樋本体支持具１に係止される係止部となるものであり、このような軒樋本体２は、屋根材５４又は野地板５１の軒先部側端部の下方に軒樋本体支持具１によって配置される。
【００１１】
軒樋本体支持具１は、図５に示すように、鼻板５２に取付けられる取付部１１と、取付部１１より外側に延設される延設部１２と、軒樋本体２を係止するための係止部とで主体が構成される。取付部１１は、正面視略正方形状をしたもので、四隅には固着孔１４が穿孔してあり、固着孔１４にビス等の固着具１５を挿通して鼻板５２に螺着することで軒樋本体支持具１を鼻板５２に取付けるものである。延設部１２は、前記取付部１１から外側に向かって延設されるもので、本実施形態では複数の棒状又は板状の部材を連結して構成してあるが、特に限定されないものである。そして、延設部１２の外側上端部から上方に向けて、外係止片１６が突設してある。外係止片１６は、上端部を内側に折り曲げて外係止部１３ｂが形成してあり、この外係止部１３ｂにて上記軒樋本体２の外側片２１の上縦片２４に設けた耳部２７ａの下面を載置係止するものである。また、取付部１１の下部には、内係止部１３ａが内側に向けて突設してあり、外係止部１３ｂと同様に、内係止部１３ａにて上記軒樋本体２の内側片２２に設けた耳部７ｂの下面を載置係止するものである。
【００１２】
また、軒樋本体支持具１には、本実施形態においては、延設部１２の外側下端部より下方に向けて押え片１７が突設してあり、押え片１７の下端部が上記軒樋本体２の外側片２１の中横片２５の上面に当接するものである。更に軒樋本体支持具１には、延設部１２より内係止部１３ａに向けて抜止め弾性片が突設してあり、上記軒樋本体２の内側片２２の耳部２７ｂを軒樋本体支持具１の内係止部１３ａに係止する際に、抜止め弾性片を撓ませて耳部２７ｂを挿入することで、耳部２７ｂの係止が外れないようにするものである。
【００１３】
このような軒樋本体２及び軒樋本体支持具１は、軒樋本体支持具１の取付部１１を鼻板５２に固定して取付け、この軒樋本体支持具１の係止部に軒樋本体２の耳部２７ａ，２７ｂを係止して取り付けることで、屋根材５４又は野地板５１の軒先部側端部の下方に配置するものである。そして、このように配置した軒樋本体２の下側には、カバー部材４を配置するものである。
【００１４】
カバー部材４は、図２に示すように、主体となるカバー部４１と、カバー耳部４２とで構成される。カバー部４１は、カバー上縦片４３と、カバー上縦片４３の下端部より内側斜め下方に連設されるカバー傾斜片４４と、カバー傾斜片４４の下端部より内側方に連設されるカバー下横片４５とで構成される。カバー上縦片４３は、配設された時にその上端部（軒樋側端部という）が軒樋本体２の下傾斜片２６に連続するように配置されるものであり、カバー下横片４５は、配設された時にその鼻板５２側端部が鼻板５２の下端部とほぼ連続するように配置されるものである。また、カバー傾斜片４４は、下から見上げた際に軒樋本体２の下傾斜片２６と同じ様な感じに見える傾斜面部となるものである。そして、カバー上縦片４３とカバー下横片４５とにはそれぞれ、カバー耳部４２であるカバー外耳部４６とカバー内耳部４７とが形成される。
【００１５】
カバー外耳部４６は、カバー上縦片４３の上端部を内側に折り曲げてその先端に下方に向けて突設してあり、カバー内耳部４７は、カバー下横片４５の内側端部を上方に折り曲げると共にその更に先端（即ち上端）側で内側に折り曲げ、先端に下方に向けて突設してある。これらカバー耳部４２は、断面略ロ字状をしたもので、カバー支持具３に係止される係止部となるものであり、このようなカバー部材４は、軒樋本体２の下側に前記カバー支持具３によって配置される。
【００１６】
カバー支持具３は、図３に示すように、鼻板５２に取付られる取着部３１と、取着部３１より外側に延設される延出部３２と、カバー部材４を係止して保持するための保持部３３とで主体が構成される。取着部３１は、正面視略長方形状をしたもので、四隅には固着孔３４が穿孔してあり、固着孔３４にビス等の固着具３５を挿通して鼻板５２に螺着することでカバー支持具３を鼻板５２に取付けるものである。延出部３２は、前記取着部３１から外側に向かって延設されるもので、本実施形態では二本の棒状又は板状の部材を連結して構成してあるが、特に限定されないものである。そして、延出部３２の外側端部には、保持部３３が設けてある。保持部３３の外面は、カバー部材４のカバー部４１の内面に沿った形状をしたもので、保持部３３をカバー部４１の内面に沿って当接させて、保持部３３の両端部をそれぞれカバー部材４のカバー部４１とカバー耳部４２との間に挿入係止することで、カバー部材４をカバー支持具３に取り付けるものである。
【００１７】
また、カバー部材４は、長手方向の両端部で隣接するカバー部材４と接合するのであるが、この接合には内継手式のカバー連結具６を用いるものである。
【００１８】
カバー連結具６は、図９に示すように、カバー部材４のカバー部４１の内面に沿った形状をしたもので、上記カバー支持具３の保持部３３とほぼ同形状をしたものである。このカバー連結具６をそれぞれ端部を突き合わせたカバー部材４の両方の内面に亘って嵌め込むことで、隣接するカバー部材４同士を長手方向に接続することが可能となるものである。
【００１９】
このようにして取付けたカバー部材４は、カバー部４１の上端部が軒樋本体２の外側片２１の下傾斜片２６の下端部とほぼ連続すると共に、カバー下横片４５の内側端部が鼻板５２の下端部とほぼ連続するものであり、このようにすることで、カバー部材４が下側に配置された軒樋本体２を下方より見上げた際、カバー部材４の軒樋側端部と軒樋本体２とがほぼ連続するように配置してあるため軒樋本体２とカバー部材４とが一体的に見えると共に、カバー部材４の鼻板５２側端部と鼻板５２の下端部とがほぼ連続するように配置してあるためカバー部材４と鼻板５２とが一体的に見えるもので、軒樋と鼻板５２とこれらの間に介在して見えるカバー部材４の全てを一体的に見せることができて、見る者に一体感を与えて見栄えを良くすることができる。
【００２０】
次に、軒樋本体支持具１とカバー支持具３の他例について説明する。
【００２１】
図７に示すように、軒樋本体支持具１とカバー支持具３とには、互いに位置決めする位置決め部７が形成してある。これは、本実施形態では、軒樋本体支持具１の取付部１１の下端部に下方に向けて凸部７ａを突設し、カバー支持具３の取着部３１の上端部に前記凸部７ａが嵌合される凹部７ｂを形成し、軒樋本体支持具１の凸部７ａとカバー支持具３の凹部７ｂとを凹凸嵌合することで、軒樋本体支持具１に対するカバー支持具３の取付位置、及びカバー支持具３に対する軒樋本体支持具１の取付位置を位置決めすることが可能となる。このようにすることで、軒樋本体支持具１とカバー支持具３との相対的な距離を一定にすることができ、軒樋本体２とカバー部材４との間に隙間が形成されてしまったりするのを防止できる。
【００２２】
またこの時、図１０乃至図１２に示すように、カバー支持具３は、カバー連結具６を兼用するものであってもよい。このものにあっては、カバー支持具３のカバー部４１の保持部３３の幅を広く形成してこの部分をカバー連結具６として使用するものである。このカバー連結具６を兼用したカバー支持具３は、隣接するカバー部材４同士の突き合わせ端部に配置されるように鼻板５２に取付け、上述した単独のカバー連結具６にてカバー部材４を連結するのと同様に、カバー支持具３の保持部３３をそれぞれ端部が突き合わされたカバー部材４の両方に亘って嵌め込むことで、隣接するカバー部材４同士を長手方向に接続することが可能となるものである。
【００２３】
このようにすることで、カバー支持具３とカバー連結具６とを別部材にすることによって部材点数が増加してしまうのを防止することが可能となる。
【００２４】
またこの時、軒樋本体支持具１の凸部７ａとカバー支持具３の凹部７ｂとにそれぞれ保持手段８を設けてもよい。これは、図８に示すように、凸部７ａに先端部に両側に突出する突起部８ａを形成し、凹部７ｂに前記凸部７ａの突起部と係合する突起部８ｂを形成するものである。このようにすることで、凸部７ａと凹部７ｂとを凹凸嵌合して軒樋本体支持具１とカバー支持具３とを取付けた際に、凸部７ａに設けた突起部８ａと凹部７ｂに設けた突起部８ｂとが係合されて抜止めされるものである。
【００２５】
また図６に、軒樋を上下長さの短い鼻板５２に設けるにあたって、軒樋本体支持具１及び軒樋本体２のみで構成した軒樋を鼻板５２に取り付けたものを示す。これは、鼻板５２に軒樋本体支持具１を取り付けてこれに軒樋本体２を取り付けた際、軒樋本体２の下端部と鼻板５２の下端部とがほぼ同レベルとなって、カバー支持具３及びカバー部材４を設けることなく軒樋と鼻板５２とを一体的に形成することができて、下方より見上げる者に一体感を与えて見栄えの良い軒樋とすることができる。
【００２６】
【発明の効果】
上記のように本発明の請求項１記載の発明にあっては、軒先部に配置される軒樋の取付構造であって、鼻板に軒樋本体支持具を取り付けると共に該軒樋本体支持具に軒樋本体を取り付け、鼻板の前記軒樋本体支持具を取り付けた部位の下方にカバー支持具を取り付けると共に、該カバー支持具に前記軒樋本体の外面と鼻板の下端部とに両端部がそれぞれほぼ連続するカバー部材を取り付けるものにおいて、軒樋本体の外面下端部に軒樋側端部が位置すると共に鼻板の下端部に鼻板側端部が位置し、軒樋側端部と鼻板側端部との間に鼻板側端部から軒樋側端部へ向かう方向にいく程上方に位置する傾斜面部を形成したので、軒樋本体とカバー部材とを一体的に形成することができると共に、カバー部材と鼻板とを一体的に形成することができて、下方より見上げる者に軒樋と鼻板とこれらの間に介在して見えるカバー部材の全てを一体的に見せることができて、簡単な構成で見る者に強い一体感を与えて見栄えの良い軒樋とすることができる。
【図面の簡単な説明】
【図１】本発明の一実施形態の側断面図である。
【図２】同上の実施形態におけるカバー部材の側断面図を示す。
【図３】同上の実施形態におけるカバー支持具の側断面図を示し、（ａ）は側断面図であり、（ｂ）は平面図であり、（ｃ）は背面図である。
【図４】同上の実施形態における軒樋本体の側断面図を示す。
【図５】同上の実施形態における軒樋本体支持具の側断面図を示し、（ａ）は側断面図であり、（ｂ）は平面図であり、（ｃ）は背面図である。
【図６】上下長さの短い鼻板に軒樋本体及び軒樋本体支持具を取り付けた軒先部の側断面図である。
【図７】位置決め部としての凸部を設けた軒樋本体支持具と位置決め部としての凹部を設けたカバー支持具の斜視図である。
【図８】同上の実施形態において、保持手段としての突起部を凸部に設けた軒樋本体支持具と保持手段としての突起部を凹部に設けたカバー支持具の斜視図である。
【図９】カバー連結具及び該カバー連結具を取り付けるカバー部材と軒樋との斜視図を示す。
【図１０】カバー連結具を兼用したカバー支持具の斜視図を示す。
【図１１】同上のカバー連結具を兼用したカバー支持具によるカバー部材の連結の説明図である。
【図１２】同上のカバー連結具を兼用したカバー支持具の軒先部への設置の説明図である。
【図１３】従来の軒樋の説明図である。
【符号の説明】
１  軒樋本体支持具
２  軒樋本体
３  カバー支持具
４  カバー部材
５２  鼻板
【図１】
0003599020.tif 000002
【図２】
0003599020.tif 000003
【図３】
0003599020.tif 000004
【図４】
0003599020.tif 000005
【図５】
0003599020.tif 000006
【図６】
0003599020.tif 000007
【図７】
0003599020.tif 000008
【図８】
0003599020.tif 000009
【図９】
0003599020.tif 000010
【図１０】
0003599020.tif 000011
【図１１】
0003599020.tif 000012
【図１２】
0003599020.tif 000013
【図１３】
0003599020.tif 000014